(57)【特許請求の範囲】
【請求項１】
温水または水の供給を受け、ミストを噴出する湯水噴出装置と、
前記湯水噴出装置でミストが噴出される室内を暖房する暖房運転が少なくとも行われる空調装置とを備え、
前記空調装置は、室内から空気を吸い込む吸込口と、室内へ空気を吹き出す吹出口を備え、
前記湯水噴出装置は、
ミストを噴出する複数のミストノズルと、
複数の前記ミストノズルの向きを、複数の前記ミストノズルが同時に異なった方向あるいは同じ方向を向くように変える駆動手段と、
複数の前記ミストノズルの向きが設定される操作手段と、
前記操作手段で設定された複数の前記ミストノズルの向きに応じて前記駆動手段を制御し、ミストの噴出方向を切り替える制御手段とを備え、
前記制御手段は、前記空調装置の機種に応じて複数の前記ミストノズルの向きが設定されたノズル設定情報が記憶され、前記ノズル設定情報に応じて前記駆動手段を制御して、複数の前記ミストノズルの向きを切り替えて、前記空調装置の機種に応じてミストの噴出方向を切り替える
ことを特徴とする空調システム。
【請求項２】
前記操作手段は、前記湯水噴出装置と組み合わせて使用される前記空調装置の機種を設定する機種設定スイッチを備えた
ことを特徴とする請求項１に記載の空調システム。
【発明の詳細な説明】
【技術分野】
【０００１】
本発明は、温水または水によるミストを噴出して、浴室やシャワー室等の室内の加湿暖房を行う湯水噴出装置を備えた空調システムに関する。
【背景技術】
【０００２】
従来から、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
しかし、ミストの噴出のみで浴室を暖める場合、温度が十分に上がらないという問題があった。
【０００５】
そこで、暖房機による温風の吹き出しと併用してミストを噴出することで、短時間で浴室の温度を上げられるようにしたミスト装置が提案されている（例えば、特許文献２参照）。
【０００６】
【特許文献１】特公平６−５９３０１号公報
【特許文献２】特開２００２−６１８６０号公報
【発明の開示】
【発明が解決しようとする課題】
【０００７】
従来のミスト装置では、複数のミストノズルを手動で回転させ、ミストの噴出方向を切り替えることができる。しかし、ミストノズルの向きを手動で変えるため、入浴者の好みや運転モードに応じてミストの噴出方向を最適な向きとするのは手間が掛かっていた。また、複数のミストノズルの向きが一体で変わるため、ミストの噴出方向を細かく制御することができなかった。
【０００８】
一方、暖房機による温風の吹き出しと併用してミストを噴出するミスト装置では、暖房機による温風の吹出方向で、ミストの噴出方向を制御することができる。しかし、ミストの噴出方向が、暖房機における空気の吸込口や吹出口の配置に応じた空気の流れの影響を受けるので、複数のミストノズルが同じ向きであると、組み合わせて使用される暖房機によってミストの噴出方向がばらつき、ミストの噴出方向を所望の方向に制御することができなかった。
【０００９】
本発明は、このような課題を解決するためになされたもので、ミストの噴出方向の制御が可能な湯水噴出装置を備えた空調システムを提供することを目的とする。
【課題を解決するための手段】
【００１２】
上述した課題を解決するため、本発明の空調システムは、温水または水の供給を受け、ミストを噴出する湯水噴出装置と、湯水噴出装置でミストが噴出される室内を暖房する暖房運転が少なくとも行われる空調装置とを備え、空調装置は、室内から空気を吸い込む吸込口と、室内へ空気を吹き出す吹出口を備え、湯水噴出装置は、ミストを噴出する複数のミストノズルと、複数のミストノズルの向きを、複数のミストノズルが同時に異なった方向あるいは同じ方向を向くように変える駆動手段と、複数のミストノズルの向きが設定される操作手段と、操作手段で設定された複数のミストノズルの向きに応じて駆動手段を制御し、ミストの噴出方向を切り替える制御手段とを備え、制御手段は、空調装置の機種に応じて複数のミストノズルの向きが設定されたノズル設定情報が記憶され、ノズル設定情報に応じて駆動手段を制御して、複数のミストノズルの向きを切り替えて、空調装置の機種に応じてミストの噴出方向を切り替えることを特徴とする。
【００１３】
本発明の空調システムでは、湯水噴出装置は、複数のミストノズルの向きが操作手段で設定され、制御手段は、操作手段での設定に応じて駆動手段を制御して  、各ミストノズルの向きを変える。これにより、ミストの噴出方向が切り替えられる。
【発明の効果】
【００１４】
本発明の湯水噴出装置を備えた空調システムによれば、複数のミストノズルでミストの噴出方向を同時に複数方向を向くように切り替えることができる。
【００１５】
従って、ミストの噴出方向を細かく制御することができ、入浴者の好みや運転モードに応じてミストの噴出方向を最適な向きとすることができる。
【００１６】
また、湯水噴出装置に組み合わせて使用される空調装置によって発生する空気の流れの影響によるミストの噴出方向のばらつきを抑え、ミストの噴出方向を所望の方向に制御することができる。
【発明を実施するための最良の形態】
【００１７】
以下、図面を参照して本発明の湯水噴出装置を備えた浴室空調システムの実施の形態について説明する。
【００１８】
＜第１の実施の形態の浴室空調システムの全体構成例＞
図１は、第１の実施の形態の浴室空調システム１Ａの概要を示す構成図である。第１の実施の形態の浴室空調システム１Ａは、温水（水）を霧状のミストにして浴室１０１内に噴出するミスト発生装置２Ａと、浴室１０１の暖房や換気等を行う浴室空調装置３Ａを備える。
【００１９】
浴室空調システム１Ａは、ミスト発生装置２Ａに対する温水ＨＷの供給元として、例えば自然冷媒（ＣＯ2）を利用したヒートポンプ方式の給湯装置４と組み合わせて使用される。
【００２０】
なお、給湯装置４は、自然冷媒を利用したヒートポンプ方式でない電気温水器や、ガス給湯器、他の熱源を利用した給湯器でも良い。
【００２１】
ミスト発生装置２Ａは湯水噴出装置の一例で、ミストＭを噴出する複数のミストノズル２０Ａと、各ミストノズル２０Ａの向きを変える駆動機構２１Ａを備え、ミストＭの噴出方向が各ミストノズル２０Ａで個別に切り替えられる。
【００２２】
また、ミスト発生装置２Ａは、給湯装置４から供給される温水を、各ミストノズル２０Ａに供給するか排水するかを切り替える弁ユニット２２を備える。ここで、ミスト発生装置２Ａで噴出されるミストとは、霧や靄、更にはシャワー等の状態を含むものである。
【００２３】
浴室空調システム１Ａは、浴室１０１に設置されたミスト操作部５と、浴室１０１に隣接した洗面脱衣所１０２に設置された主操作部６で利用者等の操作を受け、ミスト発生装置２Ａと浴室空調装置３Ａで実行される運転モードが選択される。
【００２４】
ミスト操作部５では、ミスト発生装置２ＡによるミストＭの噴出を連動させる運転モードについての操作が主に行われ、各ミストノズル２０ＡでのミストＭの噴出方向が設定される。
【００２５】
そして、浴室空調システム１Ａは、ミスト発生装置２Ａにミスト制御部７を備えると共に、浴室空調装置３Ａに主制御部８を備え、ミスト操作部５と主操作部６での操作に応じて、ミスト制御部７と主制御部８との間で通信が行われ、浴室空調装置３Ａ単体またはミスト発生装置２Ａと浴室空調装置３Ａを連動させた制御が実行される。
【００２６】
＜第１の実施の形態のミスト発生装置の構成例＞
図２は、ミスト発生装置２Ａの一例を示す構成図で、図２（ａ）は、ミスト発生装置２Ａの正面断面図、図２（ｂ）は、ミスト発生装置２Ａの側断面図、図２（ｃ）は、ミスト発生装置２Ａを下側から見た平面図である。
【００２７】
ミスト発生装置２Ａは、図１に示す浴室１０１の天井パネルに形成された開口に本体ケース２３ａが挿入され、本体ケース２３ａの下部を覆うフロントパネル２３ｂが取り付けられて、浴室１０１の天井に設置される。
【００２８】
ミスト発生装置２Ａは、本例では３個のミストノズル２０Ａ（ａ〜ｃ）が、各ミストノズル２０Ａに温水を供給する供給配管２４を軸に独立して回転できるように取り付けられ、各ミストノズル２０Ａの向きが回転動作で変えられる。
【００２９】
すなわち、ミスト発生装置２Ａは、円形の断面形状を有する供給配管２４が水平方向に配置されて、本体ケース２３ａに取り付けられる。また、各ミストノズル２０Ａには、供給配管２４に嵌る穴部２０ｈが形成される。そして、ミストノズル２０Ａは、穴部２０ｈにＯリング等の防水部材を介して供給配管２４が嵌められることで、ミストノズル２０Ａは、供給配管２４を軸に回転可能に支持される。
【００３０】
各ミストノズル２０Ａの向きを変える駆動手段としての駆動機構２１Ａは、ミストノズル２０Ａを供給配管２４を軸に回転させるため、ノズル駆動モータ２１ｍ（ａ〜ｃ）と、ノズル駆動モータ２１ｍの軸に取り付けられる小ギア２１ｇと、ミストノズル２０Ａに取り付けられる大ギア２１Ｇを備える。
【００３１】
大ギア２１Ｇは、供給配管２４を中心とした円弧面にギアが形成され、小ギア２１ｇとかみ合う。
【００３２】
これにより、ノズル駆動モータ２１ｍが回転駆動されると、小ギア２１ｇとかみ合う大ギア２１Ｇが回転することで、ミストノズル２０Ａが供給配管２４を軸に回転する。そして、ノズル駆動モータ２１ｍが所定の範囲で正逆方向に回転することで、図２（ｂ）に矢印で示すように、ミストノズル２０Ａは所定の範囲で揺動する。
【００３３】
フロントパネル２３ｂは、ミストノズル２０Ａの配置に合わせて長穴２３ｃが形成され、長穴２３ｃからミストノズル２０Ａが露出している。長穴２３ｃは、ミストノズル２０Ａの揺動方向に沿って開口し、駆動機構２１Ａによる各ミストノズル２０Ａの揺動の妨げにならないようになっている。
【００３４】
そして、各ミストノズル２０Ａに駆動機構２１Ａを備えることで、図２（ｃ）に示すように、各ミストノズル２０Ａの向きをそれぞれ異ならせることもでき、ミストの噴出方向が独立して切り替えられる。
【００３５】
ミスト発生装置２Ａは、各ミストノズル２０Ａの揺動方向を、図１に示す浴槽１０１ａと洗い場１０１ｂの並ぶ方向に沿った向きとしてあるので、ミストＭの噴出方向を、ミストノズル２０Ａ毎に浴槽１０１ａ側と洗い場１０１ｂ側との間で選択可能となっている。
【００３６】
図３はミスト発生装置２Ａを構成する弁ユニット２２の一例を示す構成図である。弁ユニット２２は、図１に示す給湯装置４からの配管２５ａが接続される給湯配管接続部２６ａと、図２に示すミスト発生装置２Ａの供給配管２４と接続される配管２５ｂが接続される供給配管接続部２６ｂと、ドレン配管２５ｃが接続されるドレン配管接続部２６ｃを備える。
【００３７】
弁ユニット２２は、給湯配管接続部２６ａと供給配管接続部２６ｂとの間が供給配管２７で接続され、給湯装置４とミスト発生装置２Ａとの間を接続している。また、弁ユニット２２は、供給配管２７から分岐した排水配管２８がドレン配管接続部２６ｃと接続され、給湯装置４とドレン配管２５ｃとの間を接続している。
【００３８】
弁ユニット２２は、排水配管２８との分岐部２７ａより上流側の供給配管２７に、給湯の有無を切り替える給湯切替電磁弁２９ａを備えると共に、分岐部２７ａより下流側の供給配管２７に、温水または水の供給先をミスト発生装置２Ａに切り替える供給切替電磁弁２９ｂを備える。
【００３９】
更に、弁ユニット２２は、温水または水の供給先をドレン配管２５ｃに切り替える排水切替電磁弁２９ｃを、排水配管２８に備える。
【００４０】
また、弁ユニット２２は、給湯切替電磁弁２９ａと分岐部２７ａとの間の供給配管２７に、供給配管２７を流れる温水または水の温度を検出する水温検出センサ２９ｄを備える。
【００４１】
ここで、供給配管２７に設ける給湯切替電磁弁２９ａ及び供給切替電磁弁２９ｂの設置高さより、排水配管２８に設ける排水切替電磁弁２９ｃの設置高さが低くなるように、供給配管２７と排水配管２８の流路を構成することで、流路中に残水が滞留しないようにしている。
【００４２】
図４及び図５は弁ユニット２２の動作説明図である。ミスト噴出時は、図４（ａ）に示すように、給湯切替電磁弁２９ａと供給切替電磁弁２９ｂは開き、排水切替電磁弁２９ｃは閉じる。これにより、図１に示す給湯装置４から供給された温水ＨＷが、供給配管２７を流れてミスト発生装置２Ａに供給され、ミスト発生装置２ＡでミストＭが噴出される。
【００４３】
排水時は、図４（ｂ）に示すように、給湯切替電磁弁２９ａと排水切替電磁弁２９ｃは開き、供給切替電磁弁２９ｂは閉じる。これにより、給湯装置４から供給された温水ＨＷが、供給配管２７及び排水配管２８を流れてドレン配管２５ｃから排水（ＥＷ）される。
【００４４】
排水の停止時は、まず、図５（ａ）に示すように、排水切替電磁弁２９ｃは開けた状態で、給湯切替電磁弁２９ａを閉じた後、供給切替電磁弁２９ｂを開ける。これにより、供給配管２７のミスト発生装置２Ａと接続された側が大気に開放された状態となるので、供給配管２７内の残水ＲＷが排水配管２８へと流れてドレン配管２５ｃから排水される。
【００４５】
そして、残水ＲＷの排水に要する時間に応じて設定された所定時間経過後、図５（ｂ）に示すように、給湯切替電磁弁２９ａ、供給切替電磁弁２９ｂ及び排水切替電磁弁２９ｃの全てを閉じることで、給湯切替電磁弁２９ａより下流側の流路に残水を滞留させない状態とすることができる。
【００４６】
＜浴室空調装置の構成例及び動作例＞
図６は、浴室空調装置３Ａの構成例及び動作例を示す断面図、図７は、浴室空調装置３Ａを下面側から見た斜視図であり、次に、浴室空調装置３Ａの構成の一例及び動作の一例について説明する。
【００４７】
浴室空調装置３Ａは空調装置の一例で、浴室暖房換気乾燥装置等と称され、換気手段及び送風手段を構成するファン部３２と熱源としてのヒータ部３３を備える。浴室空調装置３Ａは、本体ケース３４にファン部３２が取り付けられる。ファン部３２は、回転駆動される多翼の羽根車（ファン）３５と、羽根車３５を回転駆動するファンモータ３６と、ファンモータ３６が取り付けられると共に、風路を形成するファンケース３７を備える。
【００４８】
ファン部３２は、羽根車３５が縦向きに配置され、ファンケース３７は、羽根車３５の軸方向に沿った下面が開口して吸込口３８が形成される。また、ファンケース３７は羽根車３５の接線方向に沿った一の側面が開口して、風路切換部３９を備える。
【００４９】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備え、ダンパ４０の位置によって、吸込口３８から吹出口４１へ連通した風路か、排気口４２へ連通した風路が形成される。
【００５０】
図６（ａ）では、ダンパ４０を全閉した状態を示す。ダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称す。
【００５１】
図６（ｂ）では、ダンパ４０を全開にした状態を示す。ダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称す。
【００５２】
図６（ｃ）では、ダンパ４０を循環位置と換気位置の中間位置にした状態を示す。ダンパ４０を循環位置と換気位置の中間位置にすると、吸込口３８から吹出口４１へ連通した循環風路４３ａと、吸込口３８から排気口４２へ連通した換気風路４３ｂの双方が形成される。この中間位置を分流位置と称す。
【００５３】
ファンケース３７は、ヒータ部３３の上流側にイオン発生器４４を備える。イオン発生器４４はイオン発生手段の一例で、ダンパ４０を循環位置あるいは循環換気位置とすることで形成される循環風路４３ａにイオン放出面が露出する。
【００５４】
イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００５５】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００５６】
これにより、ファン部３２の運転と連動させて略同数の正イオンと負イオンを発生させ、略同数の正イオンと負イオンを含む空気を送風することで、循環する空気に含まれる浮遊細菌と図１に示す浴室１０１の空気中の浮遊細菌の双方を除去して、カビの発生等を抑えることができる。
【００５７】
ヒータ部３３は電気ヒータで構成される加熱手段の一例で、上述した吹出口４１に備えられる。ここで、ヒータ部３３としては例えばＰＴＣヒータを備える。
【００５８】
本体ケース３４は、図７に示すように、下面が開口しファン部３２の吸込口３８と吹出口４１が露出する。吸込口３８には温度検出センサ３１が備えられ、吸込口３８から吸い込む空気の温度を検出することで、浴室１０１の温度を検出可能となっている。
【００５９】
また、吹出口４１は、風向を切り替える複数枚の整流板から構成されるルーバ４１ａと、ルーバ４１ａの向きを変えるルーバモータ４１ｍを備え、電動ルーバが構成される。
【００６０】
本体ケース３４は、下面開口部にフロントパネル３０が取り付けられる。フロントパネル３０は、本体ケース３４に着脱できるように構成され、ファン部３２の吸込口３８と対向して吸込グリル４５を備えると共に、ファン部３２の吹出口４１と対向して吹出グリル４６を備える。また、フロントパネル３０は、吸込グリル４５の裏側にフィルタ４７が交換可能に取り付けられる。
【００６１】
更に、本体ケース３４は、ファン部３２の排気口４２と連通する排気ダクト接続部４８を一の側面に備える。浴室空調装置３は、排気ダクト接続部４８に図１に示す排気ダクト９が接続される。
【００６２】
浴室空調装置３は、ファンモータ３６が回転駆動されると、ファン部３２の羽根車３５が回転する。羽根車３５が回転駆動されると、フロントパネル３０の吸込グリル４５を介してファン部３２の吸込口３８から浴室１０１の空気Ａが吸い込まれる。
【００６３】
ダンパ４０の位置が図６（ａ）に示す循環位置であると、ファン部３２において吸込口３８から吹出口４１への循環風路４３ａが形成されるので、吸込口３８から吸い込まれた空気Ａは、循環風路４３ａを通り吹出口４１からフロントパネル３０の吹出グリル４６を介して浴室１０１内に吹き出される。
【００６４】
ヒータ部３３は循環風路４３ａの吹出口４１に配置されるので、ヒータ部３３が駆動されることで、循環風路４３ａを通る空気が温められて、温風ＨＡが吹出グリル４６ａから吹き出す。
【００６５】
これにより、ダンパ４０を循環位置として、ファンモータ３６が回転駆動されると、ヒータ部３３を駆動した場合は、浴室１０１内の空気を循環させながら、浴室１０１内に温風ＨＡが吹き出される。
【００６６】
ダンパ４０の位置が図６（ｂ）に示す換気位置であると、ファン部３２において吸込口３８から排気口４２への換気風路４３ｂが形成されるので、吸込口３８から吸い込まれた空気は、換気風路４３ｂ及び排気口４２を通り、更に、図１に示す排気ダクト９を通って排気グリル９ａから屋外へ排気される。
【００６７】
これにより、ダンパ４０を換気位置として、ファンモータ３６が回転駆動されると、浴室１０１内の湯気や湿気が排気される。
【００６８】
ダンパ４０の位置が図６（ｃ）に示す分流位置であると、ファン部３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル３０の吹出グリル４６を介して浴室１０１内に吹き出される。
【００６９】
また、吸込口３８から吸い込まれた空気の残部は、換気風路４３ｂ及び排気口４２を通り、更に、図１に示す排気ダクト９を通って排気グリル９ａから屋外へ排気される。
【００７０】
これにより、ダンパ４０を分流位置として、ファンモータ３６が回転駆動されると、ヒータ部３３が非駆動の場合は、浴室１０１内の空気を循環させながら、浴室１０１内の湯気や湿気が排気される。
【００７１】
また、ヒータ部３３を駆動した場合は、浴室１０１内の空気を循環させて浴室１０１内に温風を吹き出しながら、浴室１０１内の湯気や湿気が排気される。
【００７２】
なお、浴室空調装置としては、循環ファンと換気ファンを備えて循環風路と換気風路が独立した構成等でも良い。
【００７３】
＜ミスト発生装置と浴室空調装置の設置例＞
以上説明したミスト発生装置２Ａと浴室空調装置３Ａは、図１に示すように、浴槽１０１ａと洗い場１０１ｂの並び方向に沿って並列される。また、ミスト発生装置２Ａが洗い場１０１ｂ側に配置される。
【００７４】
＜第１の実施の形態の浴室空調システムの制御機能例＞
図８は、第１の実施の形態の浴室空調システム１Ａの制御系の一例を示す機能ブロック図であり、次に、上述したミスト発生装置２Ａと浴室空調装置３Ａを備えた浴室空調システム１Ａの制御系の構成について説明する。
【００７５】
浴室空調システム１Ａは、ミスト発生装置２Ａにミスト制御部７を備えると共に、浴室空調装置３Ａに主制御部８を備える。
【００７６】
ミスト制御部７は制御手段の一例で、ミスト操作部５と、図２で説明したミスト発生装置２Ａのノズル駆動モータ２１ｍと、図３で説明した弁ユニット２２の給湯切替電磁弁２９ａと、供給切替電磁弁２９ｂと、排水切替電磁弁２９ｃと、水温検出センサ２９ｄ等が接続される。なお、ミスト操作部５は例えば有線でミスト制御部７に接続される。
【００７７】
主制御部８は、主操作部６と、図６で説明した浴室空調装置３Ａの温度検出センサ３１と、ヒータ部３３と、ファンモータ３６と、イオン発生器４４と、ダンパ４０を駆動するダンパモータ４０ｂと、ルーバ４１ａを駆動するルーバモータ４１ｍ等が接続される。なお、主操作部６は例えば有線で主制御部８に接続される。
【００７８】
更に、ミスト制御部７と主制御部８は、例えば有線で接続される。
【００７９】
ミスト制御部７と主制御部８は、それぞれ図示しないＣＰＵやメモリ等を備え、ミスト操作部５及び主操作部６での操作と、予め記憶されているプログラムに従って、ミスト発生装置２Ａの各ノズル駆動モータ２１ｍ及び弁ユニット２２と、浴室空調装置３Ａを制御する。
【００８０】
すなわち、ミスト制御部７と主制御部８は、ミスト操作部５あるいは主操作部６での所定の操作に従って通信を行い、ミスト制御部７でミスト発生装置２Ａの各ノズル駆動モータ２１ｍと弁ユニット２２を制御すると共に、主制御部８で浴室空調装置３Ａを制御して、ミスト発生装置２Ａと浴室空調装置３Ａを連動させ、図１に示す浴室１０１の加湿を行うミストモードを実行する。
【００８１】
また、主制御部８は、浴室空調装置３Ａ単体の動作として、主操作部６での所定の操作に従って浴室空調装置３Ａを制御し、浴室１０１の暖房を行う暖房運転モードと、浴室１０１の換気を行う換気運転モードと、浴室１０１及び浴室１０１内に干した衣類等の乾燥を行う乾燥運転モードと、入浴者等に対して送風を行う涼風運転モードを選択的に実行する。
【００８２】
図９は、ミスト操作部５の第１の例を示す構成図である。操作手段の一例である第１の例のミスト操作部５Ａは、運転モードを選択する操作ボタンとして、ミストモードの運転及び運転停止を選択するミスト運転選択ボタン７１を備える。
【００８３】
また、図２で説明したミスト発生装置２Ａの各ミストノズル２０Ａの向きを変えるノズルボタン７２Ａａ，７２Ａｂ，７２Ａｃを備える。
【００８４】
更に、図６で説明した浴室空調装置３Ａのルーバ４１ａを動作させるルーバボタン７３Ａを備える。また、全ての制御を停止させる停止ボタン７４を備える。
【００８５】
ミスト操作部５Ａは、ミスト発生装置２Ａ及び浴室空調装置３Ａの運転状態等を入浴者等に報知する報知手段として、ミスト運転選択ボタン７１と対応させたミスト運転ランプ７５を備える。
【００８６】
また、ミストノズル２０Ａの動作状態を入浴者等に報知する報知手段として、各ノズルボタン７２Ａａ，７２Ａｂ，７２Ａｃと対応させたノズルランプ７６Ａａ，７６Ａｂ，７６Ａｃを備える。
【００８７】
更に、ルーバ４１ａの動作状態を入浴者等に報知する報知手段として、ルーバボタン７３Ａと対応させたルーバランプ７７Ａを備える。
【００８８】
＜第１の実施の形態のミストモードの動作例＞
図１０は、第１の実施の形態の浴室空調システム１Ａで実行されるミストモードの第１の例を示すフローチャートであり、次に、第１の例のミストモード実行時の処理の流れについて各図を参照して説明する。
【００８９】
ステップＳＡ１：入浴者等は、浴室１０１を加湿暖房するため、浴室１０１に設置されているミスト操作部５Ａのミスト運転選択ボタン７１を押すか、洗面脱衣所１０２に設置されている主操作部６の所定のボタンを所定回数押して、ミストモードを選択する。
【００９０】
ステップＳＡ２：ミスト操作部５Ａのミスト運転選択ボタン７１が押されると、ミスト発生装置２Ａのミスト制御部７は、ミストモードが選択されたと判断して、浴室空調装置３Ａの主制御部８にミスト運転コマンドを送信する。
【００９１】
ここで、ミストモードでは、まず、浴室空調装置３Ａで浴室１０１を暖房して、浴室１０１内を所定の温度に上げてから、ミスト発生装置２ＡでミストＭを噴出する。また、ミストＭを噴出する操作では、給湯装置４から供給される温水の温度が安定するまで、弁ユニット２２で排水運転を行い、温水が所定の温度になってから、ミスト発生装置２Ａに給湯を行って、ミストＭの噴出を開始する制御が行われる。
【００９２】
ミストモード運転開始時のミスト発生装置２Ａと浴室空調装置３Ａの動作例について説明すると、浴室空調装置３Ａの主制御部８は、ミストモードの運転を開始すると、浴室空調装置３Ａを制御して暖房運転を行う。すなわち、主制御部８は、ファン風量が所定の風量となるようにファンモータ３６を制御すると共に、ヒータ部３３に通電を行う。また、ダンパモータ４０ｂを制御して、ダンパ４０を図６（ａ）に示す循環位置とする。更に、ルーバモータ４１ｍを制御して、温風の吹出方向を浴槽１０１ａ側とする。
【００９３】
これにより、浴室空調装置３Ａは、浴室１０１内の空気を循環させながら、フロントパネル３０の吹出グリル４６から浴室１０１内に温風ＨＡを吹き出す。
【００９４】
浴室空調装置３Ａの主制御部８は、ミストモードの運転を開始して暖房運転を行うと、温度検出センサ３１で浴室１０１内の温度を検出する。そして、浴室空調装置３の主制御部８は、浴室１０１内の温度が所定のミスト噴出開始温度以上になったと判断すると、ミスト発生装置２Ａのミスト制御部７に運転許可コマンドを送信する。
【００９５】
ミスト発生装置２Ａのミスト制御部７は、主制御部８からの運転許可コマンドを受信すると、各ノズル駆動モータ２１ｍを制御して、全てのミストノズル２０Ａの向きを浴槽１０１ａ側とすると共に、弁ユニット２２を制御して、排水運転を行う。
【００９６】
ミスト噴出前に実行する排水運転では、まず、ミスト発生装置２Ａのミスト制御部７は、弁ユニット２２の給湯切替電磁弁２９ａを開くと共に、排水切替電磁弁２９ｃを開く。これにより、給湯装置４から供給された温水ＨＷがドレン配管２５ｃから排水される。このとき、供給切替電磁弁２９ｂは閉じており、ミスト発生装置２Ａからミストの噴出は行われない。
【００９７】
ミスト発生装置２Ａのミスト制御部７は、排水運転を開始すると、水温検出センサ２９ｄで給湯装置４から供給される温水ＨＷの水温を検出する。
【００９８】
給湯装置４から供給される温水ＨＷの水温が、ミスト噴出に適した所定のミスト噴出適合温度に到達すると、ミスト発生装置２Ａのミスト制御部７は、ミストを噴出するため、弁ユニット２２の給湯切替電磁弁２９ａは開いた状態で、排水切替電磁弁２９ｃを閉じると共に、供給切替電磁弁２９ｂを開く。これにより、給湯装置４から供給された所定の温度の温水ＨＷがミスト発生装置２Ａに供給され、各ミストノズル２０ＡからミストＭが噴出される。
【００９９】
なお、ミストモードの運転を開始すると、ミスト操作部５のミスト運転ランプ７５を点滅させ、浴室空調装置３Ａでの暖房運転で浴室１０１内の温度が上昇し、ミスト発生装置２Ａの連動でミストＭの噴出を開始した後、ミスト運転ランプ７５を点灯させ、入浴に適した状態となったことを入浴者に報知する。
【０１００】
ステップＳＡ３：入浴者は、ミストＭの噴出方向を変えるため、例えば、ミスト操作部５Ａのノズルボタン７２Ａａを押す。
【０１０１】
ステップＳＡ４：ミスト発生装置２Ａのミスト制御部７は、ノズルボタン７２Ａａが押されると、ノズル駆動モータ２１ｍａを所定の範囲で正逆方向に回転させ、ミストノズル２０Ａａを揺動させて、浴槽１０１ａ側と洗い場１０１ｂ側の間でミストノズル２０Ａａのスイングを開始する。また、ノズルランプ７６Ａａを点灯させ、ミストノズル２０Ａａがスイングしていることを入浴者に報知する。
【０１０２】
ステップＳＡ５：入浴者は、ミストノズル２０ＡａによるミストＭの噴出方向を固定するため、ノズルボタン７２Ａａをもう１度押す。
【０１０３】
ステップＳＡ６：ミスト発生装置２Ａのミスト制御部７は、ノズルボタン７２Ａａが再度押されると、ノズル駆動モータ２１ｍａの駆動を停止する。これにより、ミストノズル２０Ａａは、ノズルボタン７２Ａａが押された時点の向きで停止し、ミストノズル２０ＡａによるミストＭの噴出方向が、入浴者の所望の位置で固定される。また、ノズルランプ７６Ａａを消灯させ、ミストノズル２０Ａａのスイングが停止したことを入浴者に報知する。
【０１０４】
ステップＳＡ７：入浴者は、温風ＨＡの吹出方向を変えるため、ミスト操作部５Ａのルーバボタン７３Ａを押す。
【０１０５】
ステップＳＡ８：ミスト発生装置２Ａのミスト制御部７は、ルーバボタン７３Ａが押されると、浴室空調装置３Ａの主制御部８に風向切り替え運転コマンドを送信する。浴室空調装置３Ａの主制御部８は、ルーバモータ４１ｍを所定の範囲で正逆方向に回転させ、ルーバ４１ａを揺動させて、浴槽１０１ａ側と洗い場１０１ｂ側の間でルーバ４１ａのスイングを開始する。また、ルーバランプ７７Ａを点灯させ、ルーバ４１ａがスイングしていることを入浴者に報知する。
【０１０６】
ステップＳＡ９：入浴者は、浴室空調装置３Ａによる温風ＨＡの吹出方向を固定するため、ルーバボタン７３Ａをもう１度押す。
【０１０７】
ステップＳＡ１０：ミスト発生装置２Ａのミスト制御部７は、ルーバボタン７３Ａが再度押されると、浴室空調装置３Ａの主制御部８に風向切り替え停止コマンドを送信する。浴室空調装置３Ａの主制御部８は、ルーバモータ４１ｍの駆動を停止する。これにより、ルーバ４１ａは、ルーバボタン７３Ａが押された時点の向きで停止し、温風ＨＡの吹出方向が、入浴者の所望の位置で固定される。また、ルーバランプ７７Ａを消灯させ、ルーバ４１ａのスイングが停止したことを入浴者に報知する。
【０１０８】
ステップＳＡ１１：入浴者は、ミストＭの噴出方向を変えるため、例えば、ノズルボタン７２Ａｂを押す。
【０１０９】
ステップＳＡ１２：ミスト発生装置２Ａのミスト制御部７は、ノズルボタン７２Ａｂが押されると、ノズル駆動モータ２１ｍｂを所定の範囲で正逆方向に回転させ、ミストノズル２０Ａｂを揺動させて、浴槽１０１ａ側と洗い場１０１ｂ側の間でミストノズル２０Ａｂのスイングを開始する。また、ノズルランプ７６Ａｂを点灯させ、ミストノズル２０Ａｂがスイングしていることを入浴者に報知する。
【０１１０】
ステップＳＡ１３：入浴者は、ミストノズル２０ＡｂによるミストＭの噴出方向を固定するため、ノズルボタン７２Ａｂをもう１度押す。
【０１１１】
ステップＳＡ１４：ミスト発生装置２Ａのミスト制御部７は、ノズルボタン７２Ａｂが再度押されると、ノズル駆動モータ２１ｍｂの駆動を停止する。これにより、ミストノズル２０Ａｂは、ノズルボタン７２Ａｂが押された時点の向きで停止し、ミストノズル２０ＡｂによるミストＭの噴出方向が、入浴者の所望の位置で固定される。また、ノズルランプ７６Ａｂを消灯させ、ミストノズル２０Ａｂのスイングが停止したことを入浴者に報知する。
【０１１２】
ステップＳＡ１５：入浴者は、ミストＭの噴出方向を変えるため、例えば、ノズルボタン７２Ａｃを押す。
【０１１３】
ステップＳＡ１６：ミスト発生装置２Ａのミスト制御部７は、ノズルボタン７２Ａｃが押されると、ノズル駆動モータ２１ｍｃを所定の範囲で正逆方向に回転させ、ミストノズル２０Ａｃを揺動させて、浴槽１０１ａ側と洗い場１０１ｂ側の間でミストノズル２０Ａｃのスイングを開始する。また、ノズルランプ７６Ａｃを点灯させ、ミストノズル２０Ａｃがスイングしていることを入浴者に報知する。
【０１１４】
ステップＳＡ１７：入浴者は、ミストノズル２０ＡｃによるミストＭの噴出方向を固定するため、ノズルボタン７２Ａｃをもう１度押す。
【０１１５】
ステップＳＡ１８：ミスト発生装置２Ａのミスト制御部７は、ノズルボタン７２Ａｃが再度押されると、ノズル駆動モータ２１ｍｃの駆動を停止する。これにより、ミストノズル２０Ａｃは、ノズルボタン７２Ａｃが押された時点の向きで停止し、ミストノズル２０ＡｃによるミストＭの噴出方向が、入浴者の所望の位置で固定される。また、ノズルランプ７６Ａｃを消灯させ、ミストノズル２０Ａｃのスイングが停止したことを入浴者に報知する。
【０１１６】
ステップＳＡ１９：入浴者は、浴室１０１の加湿暖房を停止するため、ミスト操作部５Ａのミスト運転選択ボタン７１をもう１度押す。
【０１１７】
ステップＳＡ２０：ミスト操作部５Ａのミスト運転選択ボタン７１が再度押されると、ミスト発生装置２Ａのミスト制御部７は、弁ユニット２２を制御して、ミスト発生装置２Ａへの給湯を停止すると共に、浴室空調装置３Ａの主制御部８にミスト運転停止コマンドを送信する。
【０１１８】
ここで、ミスト発生装置２Ａへの給湯を停止する動作では、上述した図４（ｂ）、図５（ａ）、そして図５（ｂ）で説明した制御を行って、残水を滞留させない状態で、ミストＭの噴出を停止する。
【０１１９】
また、浴室空調装置３Ａの主制御部８は、ファンモータ３６を停止すると共に、ヒータ部３３の通電を停止して、浴室空調装置３Ａでの暖房運転を停止する。
【０１２０】
＜第１の実施の形態の浴室空調システムの変形例＞
図１１は、ミスト操作部５の第２の例を示す構成図である。操作手段の一例である第２の例のミスト操作部５Ｂは、運転モードを選択する操作ボタンとして、ミストモードの運転及び運転停止を選択するミスト運転選択ボタン７１を備える。
【０１２１】
ミスト運転選択ボタン７１には、ミスト発生装置２Ａ及び浴室空調装置３Ａの運転状態等を入浴者等に報知するミスト運転ランプ７５が対応して備えられる。
【０１２２】
また、図２で説明したミスト発生装置２Ａの各ミストノズル２０Ａの向き、及び図６で説明した浴室空調装置３Ａのルーバ４１ａの向きを変えるスイングボタン７３Ｂを備える。
【０１２３】
スイングボタン７３Ｂには、ミストノズル２０Ａの動作状態とルーバ４１ａの動作状態を入浴者等に報知するスイングランプ７７Ｂが対応して備えられる。
【０１２４】
更に、全ての制御を停止させる停止ボタン７４を備える。
【０１２５】
また、ミスト操作部５Ｂは、ミスト発生装置２Ａと組み合わせて使用される浴室空調装置３Ａの機種を設定する機種設定スイッチ７８を備える。機種設定スイッチ７８は、例えば、ミスト操作部５Ｂの開閉可能なカバーの内側に、ディップスイッチを備えて構成される。
【０１２６】
なお、機種設定スイッチは、ディップスイッチではなく、ミスト操作部５Ｂに設けられた設定スイッチでも良い。また、ミスト操作部５Ｂにおいて、特定の複数のボタンを同時に押したり、特定のボタンを所定時間押し続けることにより設定モードとなり、機種設定をようにしても良い。
【０１２７】
図１２は、浴室空調装置の吸込吹出口とミスト噴出方向の関係を示す説明図である。ここで、図１２（ａ），図１２（ｂ）は、図１に示すような浴室１０１の天井を下から見た図である。
【０１２８】
図６及び図７で説明した浴室空調装置３Ａは、図１２（ａ）に示すように、ミスト発生装置２Ａのミストノズル２０Ａ（ａ〜ｃ）の並ぶ方向に沿って、吸込グリル４５と吹出グリル４６が自機の長手方向に並列する。
【０１２９】
そして、ミスト発生装置２Ａのミストノズル２０Ａａは、浴室空調装置３Ａの吹出グリル４６に対向する位置に配置され、ミストノズル２０Ａｂ，２０Ａｃは、吸込グリル４５に対向する位置に配置される。
【０１３０】
これにより、ミストノズル２０Ａａは、図１に示す洗い場１０１ｂ側にミストＭを噴出するときは、浴室空調装置３Ａでの温風ＨＡの吹き出しの影響を受けて、矢印Ｆａで示すように、洗い場１０１ｂ側への噴出角度が大きくなる。
【０１３１】
一方、ミストノズル２０Ａｂ，２０Ａｃは、図１に示す洗い場１０１ｂ側にミストＭを噴出するときは、浴室空調装置３Ａでの空気Ａの吸い込みの影響を受けて、矢印Ｆｂで示すように、洗い場１０１ｂ側への噴出角度が小さくなる。
【０１３２】
これに対して、図１２（ｂ）に示すように、ミスト発生装置２Ａのミストノズル２０Ａ（ａ〜ｃ）の並ぶ方向に沿って、吹出グリル４６Ｂが自機の長手方向に延在し、吸込グリル４５Ｂと吹出グリル４６Ｂが自機の短手方向に並列する構成の浴室空調装置３Ｂもある。
【０１３３】
このような構成の浴室空調装置３Ｂとミスト発生装置２Ａとの組み合わせでは、全てのミストノズル２０Ａ（ａ〜ｃ）が、浴室空調装置３Ｂの吹出グリル４６Ｂに対向する位置に配置され、全てのミストノズル２０Ａ（ａ〜ｃ）が、浴室空調装置３Ｂでの温風ＨＡの吹き出しの影響を受ける。
【０１３４】
このように、浴室空調装置の吸込グリルと吹出グリルの形状によって、ミスト発生装置２Ａの複数のミストノズル２０Ａから噴出するミストＭの噴出方向に異なる影響が及ぼされる。
【０１３５】
例えば、図１２（ａ）の構成では、ミストノズル２０Ａａの向きと、ミストノズル２０Ａｂ及びミストノズル２０Ａｃの向きを異ならせることで、浴室１０１内にほぼ均一にミストＭを噴出することができる。これに対して、図１２（ｂ）の構成では、全てのミストノズル２０Ａ（ａ〜ｃ）の向きを同じにすることで、浴室１０１内にほぼ均一にミストＭを噴出することができる。
【０１３６】
従って、ミスト発生装置２Ａの図８で説明したミスト制御部７は、設置工事時等に機種設定スイッチ７８で予め設定された浴室空調装置の機種に応じて、図２で説明した各ミストノズル２０Ａ（ａ〜ｃ）の向きを設定するノズル設定情報が記憶される。
【０１３７】
そして、ミストモードの運転時には、組み合わせられる浴室空調装置の機種に応じて、各ミストノズル２０Ａ（ａ〜ｃ）の向きが切り替えられる。
【０１３８】
図１３は、第１の実施の形態の浴室空調システム１Ａで実行されるミストモードの第２の例を示すフローチャートであり、次に、浴室空調装置の機種に応じてミストノズルの向きを変える第２の例のミストモード実行時の処理の流れについて各図を参照して説明する。
【０１３９】
なお、以下の例では、浴室空調装置は、図１２（ａ）に示す構成とし、ミスト操作部５Ｂの機種設定スイッチ７８で該当する機種が設定されているものとする。
【０１４０】
ステップＳＢ１：入浴者等は、浴室１０１を加湿暖房するため、浴室１０１に設置されているミスト操作部５Ｂのミスト運転選択ボタン７１を押す等により、ミストモードを選択する。
【０１４１】
ステップＳＢ２：ミスト操作部５Ｂのミスト運転選択ボタン７１が押されると、ミスト発生装置２Ａのミスト制御部７は、ミストモードが選択されたと判断して、浴室空調装置３Ａの主制御部８にミスト運転コマンドを送信し、暖房運転を開始させると共に、機種設定スイッチ７８の設定に応じてミストノズル２０Ａ（ａ〜ｃ）の向きを変えて、ミストＭの噴出を行う。
【０１４２】
ここで、ミストモードでは、上述したように、浴室空調装置３Ａで浴室１０１を暖房して、浴室１０１内を所定の温度に上げてから、ミスト発生装置２ＡでミストＭを噴出する。また、ミストＭを噴出する操作では、給湯装置４から供給される温水の温度が安定するまで、弁ユニット２２で排水運転を行い、温水が所定の温度になってから、ミスト発生装置２Ａに給湯を行って、ミストＭの噴出を開始する制御が行われる。
【０１４３】
そして、浴室空調装置３Ａでは、温風ＨＡの吹出方向を洗い場１０１ｂ方向として、暖房運転が行われる。
【０１４４】
また、ミスト発生装置２Ａでは、ミストＭの噴出方向を洗い場１０１ｂ方向とする。ここで、ミストＭの噴出方向を洗い場１０１ｂ方向とする場合、鉛直下向きに対して、洗い場１０１ｂ側（＋方向）に約２５°の向きを目標に、ミストＭが噴出されるように設定される。
【０１４５】
このとき、図１２（ａ）の構成では、ミストノズル２０Ａａは、洗い場１０１ｂ側にミストＭを噴出するときは、浴室空調装置３Ａでの温風ＨＡの吹き出しの影響を受けて、洗い場１０１ｂ側への噴出角度が大きくなる。そこで、ミストノズル２０Ａａは、洗い場１０１ｂ側への傾きを目標値より小さく、例えば２０°に設定される。
【０１４６】
一方、ミストノズル２０Ａｂ，２０Ａｃは、洗い場１０１ｂ側にミストＭを噴出するときは、浴室空調装置３Ａでの空気Ａの吸い込みの影響を受けて、洗い場１０１ｂ側への噴出角度が小さくなる。そこで、ミストノズル２０Ａｂ，２０Ａｃは、洗い場１０１ｂ側への傾きを目標値より大きく、例えば３５°に設定される。
【０１４７】
これにより、複数のミストノズル２０Ａ（ａ〜ｃ）で、洗い場１０１ｂへ向けてほぼ均一にミストＭが噴出される。
【０１４８】
ステップＳＢ３：入浴者は、ミストＭの噴出方向を洗い場方向から浴槽方向へ変えるため、ミスト操作部５Ｂのスイングボタン７３Ｂを押す。
【０１４９】
ステップＳＢ４：ミスト発生装置２Ａのミスト制御部７は、スイングボタン７３Ｂが押されると、浴室空調装置３Ａの主制御部８に風向切り替え運転コマンドを送信する。浴室空調装置３Ａの主制御部８は、ルーバモータ４１ｍを所定量回転させ、ルーバ４１ａを浴槽１０１ａ側へ向ける。
【０１５０】
また、ミスト制御部７は、各ノズル駆動モータ２１ｍ（ａ〜ｃ）を回転させ、ミストノズル２０Ａ（ａ〜ｃ）を浴槽１０１ａ側へ向ける。
【０１５１】
ここで、ミストＭの噴出方向を浴槽１０１ａ方向とする場合、鉛直下向きに対して、浴槽１０１ａ側（−方向）に約２５°の向きを目標に、ミストＭが噴出されるように設定される。
【０１５２】
このとき、図１２（ａ）の構成では、ミストノズル２０Ａａは、浴槽１０１ａ側にミストＭを噴出するときは、浴室空調装置３Ａでの温風ＨＡの吹き出しの影響を受けて、浴槽１０１ａ側への噴出角度が小さくなる。そこで、ミストノズル２０Ａａは、浴槽１０１ａ側への傾きを目標値より大きく、例えば−３５°に設定される。
【０１５３】
一方、ミストノズル２０Ａｂ，２０Ａｃは、浴槽１０１ａ側にミストＭを噴出するときは、浴室空調装置３Ａでの空気Ａの吸い込みの影響を受けて、浴槽１０１ａ側への噴出角度が大きくなる。そこで、ミストノズル２０Ａｂ，２０Ａｃは、浴槽１０１ａ側への傾きを目標値より小さく、例えば−１０°に設定される。
【０１５４】
これにより、複数のミストノズル２０Ａ（ａ〜ｃ）で、浴槽１０１ａへ向けてほぼ均一にミストＭが噴出される。
【０１５５】
ステップＳＢ５：入浴者は、浴室１０１の加湿暖房を停止するため、ミスト操作部５Ｂのミスト運転選択ボタン７１をもう１度押す。
【０１５６】
ステップＳＢ６：ミスト操作部５Ｂのミスト運転選択ボタン７１が再度押されると、ミスト発生装置２Ａのミスト制御部７は、弁ユニット２２を制御して、ミスト発生装置２Ａへの給湯を停止し、ミストＭの噴出を停止する。また、浴室空調装置３Ａの主制御部８にミスト運転停止コマンドを送信し、浴室空調装置３Ａでの暖房運転を停止させる。
【０１５７】
＜第１の実施の形態の浴室空調システムの他の変形例＞
図１４は、ミスト操作部５の第３の例を示す構成図である。操作手段の一例である第３の例のミスト操作部５Ｃは、運転モードを選択する操作ボタンとして、ミストモードの運転及び運転停止を選択するミスト運転選択ボタン７１を備える。
【０１５８】
ミスト運転選択ボタン７１には、ミスト発生装置２Ａ及び浴室空調装置３Ａの運転状態等を入浴者等に報知するミスト運転ランプ７５が対応して備えられる。
【０１５９】
また、図２で説明したミスト発生装置２Ａの各ミストノズル２０Ａの向きを、入浴モードに応じて変える入浴モードボタン７３Ｃを備える。
【０１６０】
入浴モードボタン７３Ｃには、選択できる入浴モードの数に合わせて、複数の入浴モードランプ７７Ｃ（１〜４）が対応して備えられる。
【０１６１】
更に、全ての制御を停止させる停止ボタン７４を備える。
【０１６２】
図１５〜図１８は、入浴モードとミストノズルの向きの関係を示す説明図である。ここで、図１５から図１８は、図１に示すような浴室１０１の浴槽１０１ａと洗い場１０１ｂを、上から見た図である。また、図１５〜図１８では、図示しないシャワーや蛇口の関係で、浴槽１０１ａに浸かる入浴者Ｈ１の位置と、洗い場１０１ｂにいる入浴者Ｈ２の位置が決まっている。
【０１６３】
図１５に示す入浴モード「１」は、浴槽１０１ａ側でミストＭを浴びず、洗い場１０１ｂ側でミストＭを浴びない運転モードである。
【０１６４】
入浴モード「１」では、ミストノズル２０Ａａは、入浴者Ｈ２がいない洗い場１０１ｂ側に向けられる。また、ミストノズル２０Ａｂは、浴槽１０１ａと洗い場１０１ｂの中間に向けられる。更に、ミストノズル２０Ａｃは、入浴者Ｈ１がいない浴槽１０１ａ側に向けられる。
【０１６５】
図１６に示す入浴モード「２」は、浴槽１０１ａ側でミストＭを浴びて、洗い場１０１ｂ側でミストＭを浴びる運転モードである。
【０１６６】
入浴モード「２」では、ミストノズル２０Ａａは、入浴者Ｈ１がいる浴槽１０１ａ側に向けられる。また、ミストノズル２０Ａｂは、浴槽１０１ａと洗い場１０１ｂの中間に向けられる。更に、ミストノズル２０Ａｃは、入浴者Ｈ２がいる洗い場１０１ｂ側に向けられる。
【０１６７】
図１７に示す入浴モード「３」は、浴槽１０１ａ側でミストＭを浴びて、洗い場１０１ｂ側でミストＭを浴びない運転モードである。
【０１６８】
入浴モード「３」では、全てのミストノズル２０Ａａ，２０Ａｂ，２０Ａｃは、浴槽１０１ａ側に向けられる。
【０１６９】
図１８に示す入浴モード「４」は、浴槽１０１ａ側でミストＭを浴びず、洗い場１０１ｂ側でミストＭを浴びる運転モードである。
【０１７０】
入浴モード「４」では、全てのミストノズル２０Ａａ，２０Ａｂ，２０Ａｃは、洗い場１０１ｂ側に向けられる。
【０１７１】
図１９は、第１の実施の形態の浴室空調システム１Ａで実行されるミストモードの第３の例を示すフローチャートであり、次に、入浴モードに応じてミストノズルの向きを変える第３の例のミストモード実行時の処理の流れについて各図を参照して説明する。
【０１７２】
ステップＳＣ１：入浴者等は、浴室１０１を加湿暖房するため、浴室１０１に設置されているミスト操作部５Ｃのミスト運転選択ボタン７１を押す等により、ミストモードを選択する。
【０１７３】
ステップＳＣ２：ミスト操作部５Ｃのミスト運転選択ボタン７１が押されると、ミスト発生装置２Ａのミスト制御部７は、ミストモードが選択されたと判断して、浴室空調装置３Ａの主制御部８にミスト運転コマンドを送信し、暖房運転を開始させると共に、選択された入浴モードに応じてミストノズル２０Ａ（ａ〜ｃ）の向きを変えて、ミストＭの噴出を行う。
【０１７４】
ここで、ミストモードでは、上述したように、浴室空調装置３Ａで浴室１０１を暖房して、浴室１０１内を所定の温度に上げてから、ミスト発生装置２ＡでミストＭを噴出する。また、ミストＭを噴出する操作では、給湯装置４から供給される温水の温度が安定するまで、弁ユニット２２で排水運転を行い、温水が所定の温度になってから、ミスト発生装置２Ａに給湯を行って、ミストＭの噴出を開始する制御が行われる。
【０１７５】
そして、浴室空調装置３Ａでは、温風ＨＡの吹出方向を浴室１０１ａと洗い場１０１ｂの中間位置として、暖房運転が行われる。
【０１７６】
また、ミスト発生装置２Ａでは、ミストＭの噴出方向を選択された入浴モードで設定されている方向とする。ここで、ミストモードの運転開始時は、前回のミストモード時に選択されていた入浴モードが実行されるようにしても良いし、予め設定されている初期の入浴モードが実行されるようにしても良い。
【０１７７】
本例では、入浴モード「１」が実行されるとすると、ミスト操作部５Ｃの入浴モードランプ７７Ｃ１を点灯させると共に、入浴モード「１」では、図１５に示すように、ミストノズル２０Ａａは、入浴者Ｈ２がいない洗い場１０１ｂ側に向けられる。また、ミストノズル２０Ａｂは、浴槽１０１ａと洗い場１０１ｂの中間に向けられる。更に、ミストノズル２０Ａｃは、入浴者Ｈ１がいない浴槽１０１ａ側に向けられる。
【０１７８】
これにより、ミスト発生装置２Ａで浴室１０１にミストＭを噴出して、加湿暖房を行いながら、浴槽１０１ａに浸かっている入浴者Ｈ１はミストＭを浴びず、洗い場１０１ｂにいる入浴者Ｈ２もミストＭを浴びない状態とすることができる。
【０１７９】
ステップＳＣ３：入浴者は、入浴モードを変えるため、ミスト操作部５Ｃの入浴モード７３Ｃを押す。
【０１８０】
ステップＳＣ４：本例では、例えば入浴モードボタン７３Ｃが３回押されて、入浴モード「４」が選択されたとする。ミスト発生装置２Ａのミスト制御部７は、入浴モード「４」が選択されると、ミスト操作部５Ｃの入浴モードランプ７７Ｃ４を点灯させると共に、洗い場１０１ｂ側を向いていないミストノズル２０Ａｂ，２０Ａｃを駆動するノズル駆動モータ２１ｍｂ，２１ｍｃを回転させ、図１８に示すように、全てのミストノズル２０Ａａ，２０Ａｂ，２０Ａｃが、洗い場１０１ｂ側に向けられる。
【０１８１】
これにより、ミスト発生装置２Ａで浴室１０１にミストＭを噴出して、加湿暖房を行いながら、浴槽１０１ａに浸かっている入浴者Ｈ１はミストＭを浴びず、洗い場１０１ｂにいる入浴者Ｈ２はミストＭを浴びる状態とすることができる。
【０１８２】
なお、図１９のフローチャートでは図示しないが、入浴モード「２」または入浴モード「３」が選択された場合の動作も同様である。
【０１８３】
ステップＳＣ５：入浴者は、浴室１０１の加湿暖房を停止するため、ミスト操作部５Ｃのミスト運転選択ボタン７１をもう１度押す。
【０１８４】
ステップＳＣ６：ミスト操作部５Ｃのミスト運転選択ボタン７１が再度押されると、ミスト発生装置２Ａのミスト制御部７は、弁ユニット２２を制御して、ミスト発生装置２Ａへの給湯を停止し、ミストＭの噴出を停止する。また、浴室空調装置３Ａの主制御部８にミスト運転停止コマンドを送信し、浴室空調装置３Ａでの暖房運転を停止させる。
【０１８５】
このように、第３の例のミストモードでは、ミストによる加湿量を十分に確保しながら、浴室１０１内に複数の入浴者がいる場合に、それぞれの入浴者がミストＭを浴びる、浴びないの選択が可能となる。
【０１８６】
なお、上述した入浴モード「１〜４」について、個々のミストノズルの向きを洗い場側の所定の向きや浴槽側の所定の向き等、例えば入浴者毎に設定できるようにしても良い。
【０１８７】
＜第２の実施の形態のミスト発生装置の構成例＞
図２０は、ミスト発生装置２Ｂの一例を示す構成図で、図２０（ａ）は、ミスト発生装置２Ｂの正面断面図、図２０（ｂ）は、ミスト発生装置２Ｂを下側から見た平面図である。
【０１８８】
ミスト発生装置２Ｂは湯水噴出装置の一例で、図１に示す浴室１０１の天井パネルに形成された開口に本体ケース２３ａが挿入され、本体ケース２３ａの下部を覆うフロントパネル２３ｂが取り付けられて、浴室１０１の天井に設置される。
【０１８９】
ミスト発生装置２Ｂは、本例では３個のミストノズル２０Ｂａ、２０Ｂｂ、２０Ｂｃが、各ミストノズル２０Ｂに温水を供給する供給配管２４Ａ〜２４Ｃを軸に独立して回転できるように取り付けられ、各ミストノズル２０Ｂの向きが回転動作で変えられる。
【０１９０】
すなわち、ミスト発生装置２Ｂは、円形の断面形状を有する供給配管２４Ａ、２４Ｂが水平方向に配置されて、本体ケース２３ａに取り付けられる。また、ミストノズル２０Ｂａ、２０Ｂｂには、供給配管２４Ａ、２４Ｂに嵌る穴部２０ｈが水平方向に形成される。
【０１９１】
そして、ミストノズル２０Ｂａは、穴部２０ｈにＯリング等の防水部材を介して供給配管２４Ａが嵌められることで、ミストノズル２０Ｂａは、水平方向の供給配管２４Ａを軸に回転可能に支持される。同様に、ミストノズル２０Ｂｂは、穴部２０ｈにＯリング等の防水部材を介して供給配管２４Ｂが嵌められることで、ミストノズル２０Ｂｂは、水平方向の供給配管２４Ｂを軸に回転可能に支持される。
【０１９２】
一方、ミスト発生装置２Ｂは、円形の断面形状を有する供給配管２４Ｃが垂直方向に配置されて、本体ケース２３ａに取り付けられる。また、ミストノズル２０Ｂｃには、供給配管２４Ｃに嵌る穴部２０ｈが垂直方向に形成される。
【０１９３】
そして、ミストノズル２０Ｂｃは、穴部２０ｈにＯリング等の防水部材を介して供給配管２４Ｃが嵌められることで、ミストノズル２０Ｂｃは、垂直方向の供給配管２４Ｃを軸に回転可能に支持される。
【０１９４】
ミストノズル２０Ｂａとミストノズル２０Ｂｂの向きを変える駆動機構２１Ａは、図２（ｂ）で説明した構成と同様で良く、ノズル駆動モータ２１ｍａ、２１ｍｂと、ノズル駆動モータ２１ｍａ、２１ｍｂの軸に取り付けられる小ギア２１ｇと、ミストノズル２０Ｂａ、２０Ｂｂに取り付けられる大ギア２１Ｇを備える。
【０１９５】
これにより、ノズル駆動モータ２１ｍａが回転駆動されると、小ギア２１ｇとかみ合う大ギア２１Ｇが回転することで、ミストノズル２０Ｂａが供給配管２４Ａを軸に回転する。そして、ノズル駆動モータ２１ｍａが所定の範囲で正逆方向に回転することで、図２０（ｂ）に矢印で示すように、ミストノズル２０Ｂａは所定の範囲で揺動する。
【０１９６】
同様に、ノズル駆動モータ２１ｍｂが回転駆動されると、小ギア２１ｇとかみ合う大ギア２１Ｇが回転することで、ミストノズル２０Ｂｂが供給配管２４Ｂを軸に回転する。そして、ノズル駆動モータ２１ｍｂが所定の範囲で正逆方向に回転することで、図２０（ｂ）に矢印で示すように、ミストノズル２０Ｂｂは所定の範囲で揺動する。
【０１９７】
一方、ミストノズル２０Ｂｃの向きを変える駆動機構２１Ａは、ノズル駆動モータ２１ｍｃと、ノズル駆動モータ２１ｃの軸に取り付けられる小ギア２１ｇと、ミストノズル２０Ｂｃに取り付けられる円形の大ギア２１Ｇｃを備える。
【０１９８】
これにより、ノズル駆動モータ２１ｍｃが回転駆動されると、小ギア２１ｇとかみ合う大ギア２１Ｇｃが回転することで、ミストノズル２０Ｂｃが供給配管２４Ｂを軸に回転する。そして、大ギア２１Ｇｃが円形なので、ノズル駆動モータ２１ｍｃを正方向あるいは逆方向に連続回転させることで、図２０（ｂ）に矢印で示すように、ミストノズル２０Ｂｃは円運動する。
【０１９９】
そして、ミストノズル２０Ｂｃは、横方向にミストＭを噴出する構成であるので、ミストノズル２０Ｂｃを回転させると、全周方向にミストＭが噴出される。
【０２００】
フロントパネル２３ｂは、ミストノズル２０Ｂａ、２０Ｂｂの配置に合わせて長穴２３ｃが形成され、長穴２３ｃからミストノズル２０Ｂａ、２０Ｂｂが露出している。長穴２３ｃは、ミストノズル２０Ｂａ、２０Ｂｂの揺動方向に沿って開口し、駆動機構２１Ａによる各ミストノズル２０Ｂａ、２０Ｂｂの揺動の妨げにならないようになっている。
【０２０１】
一方、フロントパネル２３ｂにミストノズル２０Ｂｃを露出させる開口は、長穴である必要はないが、他のミストノズルと形状を合わせて長穴とすることで、外観性を向上させている。
【０２０２】
そして、各ミストノズル２０Ｂａ〜２０Ｂｃに駆動機構２１Ａを備えることで、各ミストノズル２０Ｂａ〜２０Ｂｃの向きをそれぞれ異ならせることもでき、ミストの噴出方向が独立して切り替えられる。
【０２０３】
ミスト発生装置２Ｂは、各ミストノズル２０Ｂａ、２０Ｂｂの揺動方向を、図１に示す浴槽１０１ａと洗い場１０１ｂの並ぶ方向に沿った向きとしてあるので、ミストノズル２０Ｂａ、２０Ｂｂでは、ミストＭの噴出方向を、浴槽１０１ａ側と洗い場１０１ｂ側との間で選択可能となっている。
【０２０４】
また、ミストノズル２０Ｂｃは、横方向にミストＭを噴出する構成であるので、ミストノズル２０Ｂｃを回転させると、浴室１０１の各壁面に向けてミストＭが噴出される。
【０２０５】
ミスト発生装置２Ｂは、ミストノズル２０Ｂａ〜２０Ｂｃのそれぞれに、電磁弁２９ｆ、２９ｇ、２９ｈを備え、ミストノズル２０Ｂａ〜２０Ｂｃ毎に、ミストＭの噴出の有無が切り替えられる。
【０２０６】
また、ミスト発生装置２Ｂは、ミストノズル２０Ｂａとミストノズル２０Ｂｂは、例えば図３で説明した弁ユニット２２を介して、図１に示す給湯装置４からの温水が供給される。
【０２０７】
ここで、ミストノズル２０Ｂａは、粒度の粗いミストが噴出され、ミストノズル２０Ｂｂは、粒度の細かいミストが噴出される。
【０２０８】
一方、ミストノズル２０Ｂｃは、銀イオン等の抗菌性を有した金属イオンを供給する図示しないイオン発生装置を介して、給湯装置４からの水が供給される。
【０２０９】
これにより、浴室１０１内は、金属イオンが銀イオンであれば、銀イオン及び壁面や天井面に付着した銀または銀の化合物により、抗菌作用をもたせることができる。
【０２１０】
＜第２の実施の形態のミスト発生装置を操作するミスト操作部の構成例＞
図２１は、ミスト操作部５の第４の例を示す構成図である。操作手段の一例である第４の例のミスト操作部５Ｄは、運転モードを選択する操作ボタンとして、ミストモードの運転及び運転停止を選択するミスト運転選択ボタン７１を備える。
【０２１１】
ミスト運転選択ボタン７１には、ミストモードの運転状態を入浴者に報知するミスト噴出準備運転ランプ７５ａと、ミストを浴びるか否かを報知するミスト浴有無ランプ７５ｂ、７５ｃが対応して備えられる。
【０２１２】
また、運転モードを選択する操作ボタンとして、ミストによる浴室の洗浄運転を選択する洗浄ミスト運転選択ボタン７９を備える。洗浄ミスト運転選択ボタン７９には、ミスト発生装置２Ｂ及び浴室空調装置３Ａの運転状態を入浴者に報知する洗浄ミスト運転ランプ７９ａが対応して備えられる。
【０２１３】
更に、図２０で説明したミスト発生装置２Ｂの各ミストノズル２０Ｂの向き、及び図６で説明した浴室空調装置３Ａのルーバ４１ａの向きを変えるスイングボタン７３Ｂを備える。
【０２１４】
スイングボタン７３Ｂには、ミストノズル２０Ｂの動作状態とルーバ４１ａの動作状態を入浴者等に報知するスイングランプ７７Ｂが対応して備えられる。
【０２１５】
また、全ての制御を停止させる停止ボタン７４を備える。
【０２１６】
＜第２の実施の形態のミスト発生装置を備えた浴室空調システムの制御機能例＞
図２２は、第２の実施の形態のミスト発生装置２Ｂを備えた浴室空調システム１Ｂの制御系の一例を示す機能ブロック図であり、次に、上述したミスト発生装置２Ｂと図６で説明した浴室空調装置３Ａを備えた浴室空調システム１Ｂの制御系の構成について説明する。
【０２１７】
浴室空調システム１Ｂは、ミスト発生装置２Ｂにミスト制御部７Ｂを備えると共に、浴室空調装置３Ａに主制御部８を備える。
【０２１８】
ミスト制御部７Ｂは制御手段の一例で、図２１で説明したミスト操作部５Ｄと、図２０で説明したミスト発生装置２Ｂのノズル駆動モータ２１ｍａ〜２１ｍｃと、電磁弁２９ｆ、２９ｇ、２９ｈ等が接続される。なお、ミスト発生装置２Ｂは、図３で説明したような弁ユニットに接続される。
【０２１９】
浴室空調装置３Ａの制御機能は、図８で説明した構成と同じであり、ミスト制御部７Ｂと主制御部８は、それぞれ図示しないＣＰＵやメモリ等を備え、ミスト操作部５Ｄ及び主操作部６での操作と、予め記憶されているプログラムに従って、ミスト発生装置２Ｂの各ノズル駆動モータ２１ｍａ〜２１ｍｃ及び電磁弁２９ｆ、２９ｇ、２９ｈと、浴室空調装置３Ａを制御する。
【０２２０】
すなわち、ミスト制御部７Ｂと主制御部８は、ミスト操作部５Ｄあるいは主操作部６での所定の操作に従って通信を行い、ミスト制御部７Ｂでミスト発生装置２Ｂの各ノズル駆動モータ２１ｍａ〜２１ｍｃと電磁弁ユニット２９ｆ、２９ｇ、２９ｈを制御すると共に、主制御部８で浴室空調装置３Ａを制御して、ミスト発生装置２Ｂと浴室空調装置３Ａを連動させ、図１に示す浴室１０１の洗浄を行う洗浄ミストモードと、加湿を行うミストモードを実行する。
【０２２１】
＜第２の実施の形態のミストモードの動作例＞
図２３は、第２の実施の形態のミスト発生装置２Ｂを備えた浴室空調システム１Ｂで実行される洗浄ミストモードの一例を示すフローチャートであり、次に、洗浄ミストモード実行時の処理の流れについて各図を参照して説明する。
【０２２２】
ステップＳＤ１：入浴者等は、例えば入浴後に浴室１０１を洗浄するため、浴室１０１に設置されているミスト操作部５Ｄの洗浄ミスト運転選択ボタン７９を押して、洗浄ミストモードを選択する。
【０２２３】
ステップＳＤ２：ミスト操作部５Ｄの洗浄ミスト運転選択ボタン７９が押されると、ミスト発生装置２Ｂのミスト制御部７Ｂは、洗浄ミストモードが選択されたと判断して、ミストノズル２０Ｂｃに備えた電磁弁２９ｈを開くと共に、図示しない銀イオン発生装置を駆動して、金属イオンとしての銀イオンが供給されたミストをミストノズル２０Ｂｃから噴出させる。
【０２２４】
また、ノズル駆動モータ２１ｍｃを制御して、ミストノズル２０Ｂｃを回転させ、銀イオンを含むミストを浴室１０１の全壁面に向けて噴出する。
【０２２５】
ステップＳＤ３：ミスト発生装置２Ｂのミスト制御部７Ｂは、銀イオンを含むミストの噴出を開始すると、時間をカウントする。
【０２２６】
ステップＳＤ４：ミスト発生装置２Ｂのミスト制御部７Ｂは、銀イオンを含むミストの噴出を開始してから所定の洗浄時間、例えば５分が経過したか判断する。
【０２２７】
ステップＳＤ５：ミスト発生装置２Ｂのミスト制御部７Ｂは、銀イオンを含むミストの噴出を開始してから所定の洗浄時間が経過したと判断すると、ミストノズル２０Ｂｃの電磁弁２９ｈを閉じると共に、銀イオン発生装置の駆動を停止して、銀イオンを含むミストの噴出を停止する。また、ノズル駆動モータ２１ｍｃの駆動を停止して、ミストノズル２０Ｂｃの回転を停止する。
【０２２８】
ステップＳＤ６：ミスト発生装置２Ｂのミスト制御部７Ｂは、銀イオンを含むミストの噴出を停止すると、浴室空調装置３Ａの主制御部８に乾燥運転コマンドを送信する。
【０２２９】
浴室空調装置３Ａの主制御部８は、乾燥運転では、ファン風量が所定の風量となるようにファンモータ３６を制御する。また、ダンパモータ４０ｂを制御して、ダンパ４０を図６（ｃ）に示す分流位置とする。更に、イオン発生器４４を駆動して、ほぼ同数の正イオンと負イオンを発生させる。
【０２３０】
これにより、浴室空調装置３Ａは、吸込グリル４５から吸い込んだ浴室１０１内の空気の一部を循環させながら、正イオンと負イオンを供給して浴室１０１内に吹き出す。
【０２３１】
また、吸込グリル４５から吸い込まれた空気の残部は、図１に示す排気ダクト９を通って排気グリル９ａから屋外へ排気される。
【０２３２】
これにより、浴室１０１内にほぼ同数の正イオンと負イオンを供給しながら、浴室１０１内の湯気や湿気が排気される。
【０２３３】
ステップＳＤ７：浴室空調装置３Ａの主制御部８は、乾燥運転を開始すると、時間をカウントする。
【０２３４】
ステップＳＤ８：浴室空調装置３Ａの主制御部８は、乾燥運転を開始してから所定の乾燥時間、例えば３時間が経過したか判断する。
【０２３５】
ステップＳＤ９：浴室空調装置３Ａの主制御部８は、乾燥運転を開始してから所定の乾燥時間が経過したと判断すると、ファンモータ３６を停止すると共に、イオン発生器４４の駆動を停止して乾燥運転を停止する。
【０２３６】
図２４は、第２の実施の形態のミスト発生装置２Ｂを備えた浴室空調システム１Ｂで実行されるミストモードの一例を示すフローチャートであり、次に、ミストモード実行時の処理の流れについて各図を参照して説明する。
【０２３７】
ステップＳＥ１：入浴者等は、浴室１０１を加湿暖房するため、浴室１０１に設置されているミスト操作部５Ｄのミスト運転選択ボタン７１を押すか、洗面脱衣所１０２に設置されている主操作部６の所定のボタンを所定回数押して、ミストモードを選択する。
【０２３８】
ステップＳＥ２：ミスト操作部５Ｄのミスト運転選択ボタン７１が押されると、ミスト発生装置２Ｂのミスト制御部７Ｂは、ミストモードが選択されたと判断して、浴室空調装置３Ａの主制御部８にミスト運転コマンドを送信する。
【０２３９】
ここで、ミストモードでは、まず、浴室空調装置３Ａで浴室１０１を予備暖房して、浴室１０１内を所定の温度に上げてから、ミスト発生装置２ＢでミストＭを噴出する。
【０２４０】
ミストモード運転開始時の浴室空調装置３Ａの動作例について説明すると、浴室空調装置３Ａの主制御部８は、ミストモードの運転を開始すると、浴室空調装置３Ａを制御して暖房運転を行う。すなわち、主制御部８は、ファン風量が所定の風量、例えばファン風量が「強」となるようにファンモータ３６を制御すると共に、ヒータ部３３に通電を行う。また、ダンパモータ４０ｂを制御して、ダンパ４０を図６（ａ）に示す循環位置とする。
【０２４１】
これにより、浴室空調装置３Ａは、浴室１０１内の空気を循環させながら、フロントパネル３０の吹出グリル４６から浴室１０１内に温風ＨＡを吹き出す。
【０２４２】
ステップＳＥ３：浴室空調装置３Ａの主制御部８は、ミストモードの運転を開始して予備暖房運転を行うと、温度検出センサ３１で浴室１０１内の温度を検出する。
【０２４３】
ステップＳＥ４：浴室空調装置３の主制御部８は、浴室１０１内の温度が所定のミスト噴出開始温度、例えば３０℃以上になったか判断する。
【０２４４】
ステップＳＥ５：浴室空調装置３Ａの主制御部８は、浴室１０１内の温度が所定のミスト噴出開始温度以上になったと判断すると、ファン風量を「強」とした暖房運転は継続すると共に、ミスト発生装置２Ｂのミスト制御部７Ｂに運転許可コマンドを送信する。
【０２４５】
ミスト発生装置２Ｂのミスト制御部７Ｂは、主制御部８からの運転許可コマンドを受信すると、ミストノズル２０Ｂａに備えた電磁弁２９ｆを開くと共に、ミストノズル２０Ｂｂに備えた電磁弁２９ｇを開いて、ミストノズル２０Ｂａとミストノズル２０Ｂｂの両方でミストＭを噴出させる。
【０２４６】
また、ノズル駆動モータ２１ｍａ、２１ｍｂを制御して、ミストノズル２０Ｂａ、２０Ｂｂの向きを洗い場１０１ｂ側とする。
【０２４７】
ステップＳＥ６：浴室空調装置３Ａの主制御部８は、ミストモードの運転を開始してミストの噴出を開始すると、温度検出センサ３１で浴室１０１内の温度を検出する。
【０２４８】
ステップＳＥ７：浴室空調装置３Ａの主制御部８は、浴室１０１内の温度が所定の入浴温度になったか判断する。
【０２４９】
ステップＳＥ８：浴室空調装置３Ａの主制御部８は、浴室１０１内の温度が所定の入浴温度以上になったと判断すると、ファン風量を「強」より低い所定の「弱」とした暖房運転を継続すると共に、ミスト発生装置２Ｂのミスト制御部７Ｂにミスト運転切り替えコマンドを送信する。
【０２５０】
ミスト発生装置２Ｂのミスト制御部７Ｂは、主制御部８からのミスト運転切り替えコマンドを受信すると、ミストノズル２０Ｂａの電磁弁２９ｆを閉じて、ミストノズル２０Ｂａからのミストの噴出を停止する。なお、ミストノズル２０Ｂｂの電磁弁２９ｇは開いたままで、ミストノズル２０Ｂｂでミストの噴出を継続させる。そして、ミストノズル２０Ｂｂは、粒度の細かいミストが噴出されることから、水量が少なく、入浴者はミストを浴びない状態となる。
【０２５１】
ここで、ミストモードの運転を開始すると、ミストの噴出を開始して入浴に適する温度になるまでは、ミスト噴出準備運転ランプ７５ａを点灯させ、入浴に適する温度となってミスト運転が切り替えられると、ミスト浴無ランプ７５ｂを点灯させ、入浴に適した状態となったことを入浴者に報知する。
【０２５２】
ステップＳＥ９：入浴者は、ミストを浴びたい場合は、ミスト操作部５Ｄのミスト運転選択ボタン７１を押す。
【０２５３】
ステップＳＥ１０：ミスト発生装置２Ｂのミスト制御部７Ｂは、ミスト運転選択ボタン７１が押されると、ミストノズル２０Ｂａの電磁弁２９ｆを開いて、ミストノズル２０Ｂａからのミストの噴出を再開する。なお、ミストノズル２０Ｂｂの電磁弁２９ｇは開いたままで、ミストノズル２０Ｂｂでミストの噴出を継続させる。ミストノズル２０Ｂａは、粒度の粗いミストが噴出されることから、水量が多く、入浴者はミストを浴びる状態となる。また、ミスト浴有ランプ７５ｃを点灯させ、ミストを浴びる状態となったことを入浴者に報知する。
【０２５４】
ステップＳＥ１１：入浴者は、浴室１０１の加湿暖房を停止するため、ミスト操作部５Ｄの停止ボタン７４を押す。
【０２５５】
ステップＳＥ１２：ミスト操作部５Ｄの停止ボタン７４が押されると、ミスト発生装置２Ｂのミスト制御部７Ｂは、電磁弁２９ｆ、２９ｇを閉じて、ミストの噴出を停止すると共に、浴室空調装置３Ａの主制御部８にミスト運転停止コマンドを送信する。
【０２５６】
浴室空調装置３Ａの主制御部８は、ファンモータ３６を停止すると共に、ヒータ部３３の通電を停止して、浴室空調装置３Ａでの暖房運転を停止する。
【０２５７】
なお、ミスト発生装置において、複数のミストノズルは個別に回動可能としたが、例えばミスト発生装置２Ｂにおいて、ミストノズル２０Ｂａとミストノズル２０Ｂｂを同一のモータで駆動するようにして、２つのモータで３個のミストノズルを回動可能とするような構成としても良い。
【産業上の利用可能性】
【０２５８】
本発明は、浴室やシャワー室等の加湿暖房を行う空調システムに適用される。
【図面の簡単な説明】
【０２５９】
【図１】第１の実施の形態の浴室空調システムの一例を示す構成図である。
【図２】第１の実施の形態のミスト発生装置の一例を示す構成図である。
【図３】弁ユニットの一例を示す構成図である。
【図４】弁ユニットの動作説明図である。
【図５】弁ユニットの動作説明図である。
【図６】浴室空調装置の構成例及び動作例を示す断面図である。
【図７】浴室空調装置を下面側から見た斜視図である。
【図８】第１の本実施の形態の浴室空調システムの制御系の一例を示す機能ブロック図である。
【図９】ミスト操作部の第１の例を示す構成図である。
【図１０】第１の実施の形態の浴室空調システムで実行されるミストモードの第１の例を示すフローチャートである。
【図１１】ミスト操作部の第２の例を示す構成図である。
【図１２】浴室空調装置の吸込吹出口とミスト噴出方向の関係を示す説明図である。
【図１３】第１の実施の形態の浴室空調システムで実行されるミストモードの第２の例を示すフローチャートである。
【図１４】ミスト操作部の第３の例を示す構成図である。
【図１５】入浴モードとミスト噴出方向の関係を示す説明図である。
【図１６】入浴モードとミスト噴出方向の関係を示す説明図である。
【図１７】入浴モードとミスト噴出方向の関係を示す説明図である。
【図１８】入浴モードとミスト噴出方向の関係を示す説明図である。
【図１９】第１の実施の形態の浴室空調システムで実行されるミストモードの第３の例を示すフローチャートである。
【図２０】第２の実施の形態のミスト発生装置の一例を示す構成図である。
【図２１】ミスト操作部の第４の例を示す構成図である。
【図２２】第２の本実施の形態の浴室空調システムの制御系の一例を示す機能ブロック図である。
【図２３】第２の実施の形態の浴室空調システムで実行される洗浄ミストモードの一例を示すフローチャートである。
【図２４】第２の実施の形態の浴室空調システムで実行されるミストモードの一例を示すフローチャートである。
【符号の説明】
【０２６０】
１Ａ、１Ｂ・・・浴室空調システム、２Ａ、２Ｂ・・・ミスト発生装置、２０Ａ、２０Ｂ・・・ミストノズル、２１Ａ・・・駆動機構、２２・・・弁ユニット、３Ａ・・・浴室空調装置、４・・・給湯装置、５Ａ〜５Ｄ・・・ミスト操作部、６・・・主操作部、７、７Ｂ・・・ミスト制御部、８・・・主制御部、１０１・・・浴室、１０１ａ・・・浴槽、１０１ｂ・・・洗い場
【図１】
0005067067.tif 000002
【図２】
0005067067.tif 000003
【図３】
0005067067.tif 000004
【図４】
0005067067.tif 000005
【図５】
0005067067.tif 000006
【図６】
0005067067.tif 000007
【図７】
0005067067.tif 000008
【図８】
0005067067.tif 000009
【図９】
0005067067.tif 000010
【図１０】
0005067067.tif 000011
【図１１】
0005067067.tif 000012
【図１２】
0005067067.tif 000013
【図１３】
0005067067.tif 000014
【図１４】
0005067067.tif 000015
【図１５】
0005067067.tif 000016
【図１６】
0005067067.tif 000017
【図１７】
0005067067.tif 000018
【図１８】
0005067067.tif 000019
【図１９】
0005067067.tif 000020
【図２０】
0005067067.tif 000021
【図２１】
0005067067.tif 000022
【図２２】
0005067067.tif 000023
【図２３】
0005067067.tif 000024
【図２４】
0005067067.tif 000025